(57)【要約】【課題】監視対象の異常を警報音によって運転員に知らせるにあたり、その異常の状況をより適確かつ迅速に運転員に認識させる。【解決手段】警報通知システムは、複数種類の警報音を記憶する警報音データベース２と、異常を知らせる警報信号を受けたときにその警報信号の種類に応じて、警報音データベース２に記憶された警報音を自動的に選択する警報音選択手段１と、警報音選択手段１で選択された警報音を出力する警報音出力手段３とを有する。警報音データベース２は、警報信号の種類とそれに対応して警報音選択手段１で選択される警報音との関係を外部から設定することができる。警報音選択設定を行なう際に、警報音出力手段３を動作させて警報音を出力する。【選択図】図１
2008293110.tif 000002
【特許請求の範囲】
【請求項１】
複数種類の警報音を記憶する警報音データベースと、
異常を知らせる警報信号を受けたときにその警報信号の種類に応じて、前記警報音データベースに記憶された警報音を自動的に選択する警報音選択手段と、
前記警報音選択手段で選択された警報音を出力する警報音出力手段と、
を有し、
前記警報音データベースは、警報信号の種類とそれに対応して前記警報音選択手段で選択される警報音との関係を外部から設定するための警報音選択設定手段を含んでいること、
を有することを特徴とする警報通知システム。
【請求項２】
前記警報音選択設定手段によって設定を行なう際に、前記警報音出力手段を動作させて警報音を出力するように構成されていること、を特徴とする請求項１に記載の警報通知システム。
【請求項３】
前記警報音選択設定手段によって設定を行なう際に前記警報音出力手段から出力される警報音には設定動作中であることを明示する情報が含まれていること、を特徴とする請求項２に記載の警報通知システム。
【請求項４】
前記警報音選択設定手段は、異なる種類の警報信号には異なる種類の警報音を対応させるという条件で動作すること、を特徴とする請求項１ないし請求項３のいずれか一項に記載の警報通知システム。
【請求項５】
警報信号の種類とそれに対応する警報音との関係を外部から設定して警報音データベースに登録する登録ステップと、
警報信号を受けたときにその警報信号の種類に応じて、前記警報音データベースに登録された警報音を自動的に選択する選択ステップと、
前記選択ステップで選択された警報音を出力する警報音出力ステップと、
を有することを特徴とする警報通知方法。
【発明の詳細な説明】
【技術分野】
【０００１】
この発明は、監視対象の異常の際に、状況に応じて複数種類の警報音を発する警報通知システムおよび警報通知方法に関する。
【背景技術】
【０００２】
一般に、プラントの監視制御装置に実装されている警報通知システムでは、監視対象のプラントの異常状態に対応して、運転員に警報を伝達する。警報通知システムは、警報音や音声によりプラント状態を通知するとともに、画面に必要な情報を表示することで運転員に対応を促す。これは、運転員が画面を注視していない場合であっても、運転員に画面表示内容の確認を促すとともに、複数の運転員にプラント状態の情報を共有させる意味を持つ。
【０００３】
警報音と音声は、通知の内容によって使い分けられる。警報音は、たとえば、重故障、中故障、軽故障により異なるものとするのが一般的である。また、複数のプラントの制御装置が１箇所に設置してある場合、どちらのプラントで発生した警報であるか認識するために、プラントごとに異なった警報音を用いることも行なわれる。音声による通知も上述に準ずるものである。すなわち、故障の程度などがわかるように、あらかじめ定められた音声により通知される。
【０００４】
しかし、これら警報音や音声通知が頻繁に行なわれる場合、故障レベルや内容とは関係なく多くの警報が運転員に通知される。このため、異常処理にまったく関係のない第三者に通知され、混乱を招くという不都合が生じることがある。このため、特許文献１では、異常レベルに応じて複数の警報出力手段であるＣＲＴ（電子線管）故障表示手段、音声出力手段、マウスデバイス通知手段などを使い分ける処理を用いている。
【０００５】
また、音声通知に用いる音声データを登録しようとしても記憶容量がなくなってしまうことを防ぐ機能を持つ装置も知られている（特許文献２参照）。かかる装置では、音声データを蓄積する蓄積装置の残容量があらかじめ定めた所定のレベルより少なくなったとき、別途設けたカウンタの頻度が少ない蓄積音声データを削除する使用実績判定処理を備えている。
【特許文献１】特開２００３−２５６０３６号公報
【特許文献２】特開２００４−２７２３２８号公報
【発明の開示】
【発明が解決しようとする課題】
【０００６】
上述のように、警報音や音声通知を工夫することが行なわれているが、通常、これらは警報通知の補助的な手段として用いられているに過ぎない。しかしながら、運転員が画面を注視していない場合、警報音や音声通知がプラント状態変化を伝達する第一報となる。運転員はこの第一報を受けて画面を確認する。この確認結果を踏まえ、対策を立案して操作を行なう。このため、警報音や音声通知から画面を確認し操作を行なうまでの時間にタイムラグが存在していた。
【０００７】
第一報を確認したとき、特に、第一報が始まった瞬間に故障箇所を特定もしくは限定することができれば、対策の立案と画面確認とを同時に行なうことが可能となり、操作までのタイムラグを短縮することが可能になる。
【０００８】
そこで、プラント特有の警報に対応する警報音や音声通知をあらかじめ変更しておくことが望ましい。たとえば、ボイラに対応した警報だけは警報音を変更するといった対応である。しかし、プラントの経年変化に応じて警報の発生パターンも変化する。このため、注目すべき警報も変化するが、従来は運転員が警報音や音声通知を変更する手段を持たなかったため、上述のタイムラグを短縮することができなかった。
【０００９】
この発明はかかる事情に鑑みてなされたものであって、監視対象の異常を警報音によってそれを運転員に知らせるにあたり、その異常の状況をより適確かつ迅速に運転員に認識させることを目的とする。
【課題を解決するための手段】
【００１０】
上記目的を達成するために、本発明に係る警報通知システムは、複数種類の警報音を記憶する警報音データベースと、異常を知らせる警報信号を受けたときにその警報信号の種類に応じて、前記警報音データベースに記憶された警報音を自動的に選択する警報音選択手段と、前記警報音選択手段で選択された警報音を出力する警報音出力手段と、を有し、前記警報音データベースは、警報信号の種類とそれに対応して前記警報音選択手段で選択される警報音との関係を外部から設定するための警報音選択設定手段を含んでいること、を有することを特徴とする。
【００１１】
また、本発明に係る警報通知方法は、警報信号の種類とそれに対応する警報音との関係を外部から設定して警報音データベースに登録する登録ステップと、警報信号を受けたときにその警報信号の種類に応じて、前記警報音データベースに登録された警報音を自動的に選択する選択ステップと、前記選択ステップで選択された警報音を出力する警報音出力ステップと、を有することを特徴とする。
【発明の効果】
【００１２】
本発明によれば、監視対象の異常があった場合に、警報音によって、その異常の状況をより適確かつ迅速に運転員に認識させることができる。
【発明を実施するための最良の形態】
【００１３】
まず、図１ないし図４を用いて本発明に係る警報通知システムの第１の実施形態を説明する。この警報通知システムは、図１に示すように、警報音選択手段１と、警報音データベース（警報音ＤＢ）２と、警報音出力手段３とを有する。警報音データベース２は、警報種別と警報音とを関連付ける（「ひも付け」する）検索機能を持つとともに、このひも付けを設定するための画面表示機能を持つ。これについては図２ないし図４を参照して後述する。
【００１４】
図１に示す警報通知システムにおいて、監視対象のプラント（図示せず）の異常状態に応じ、警報が発生する。この場合に、まず、この警報の種別（例：ボイラ水位異常）が通知される。これに対し、警報音選択手段１では、警報種別を警報音データベース２に問い合わせる。警報音データベース２は、警報の種別に対応する警報音を警報音選択手段１に通知する。これにより、警報音選択手段１は、対応警報音信号を警報音出力手段（たとえばスピーカ）３に通知する。警報音出力手段３は、警報音を出力することにより警報通知を行なう。一般に、警報はプラント監視装置によりプラントを監視している運転員等に対して通知されるものである。
【００１５】
図２ないし図４に示す第１ないし第３の画面は、警報音データベース２に設定されるひも付けの設定の際に表示装置（図示せず）に表示される画面を示す。図２に示す第１の画面１１は警報詳細設定画面であり、警報発生項目に対応した項目が配置されている。この警報通知システムを用いれば、第１の画面１１の項目に対応して警報音を変更することが可能になる。
【００１６】
図３に示す第２の画面１２は、第１の画面１１（図２）において「給水温度」を選択した場合に表示される画面の一例である。ここでは、「上限値」、「上上限値」、「下限値」、「下下限値」の４種類の警報を選択してそれらの値を設定することができる。さらに、本実施形態で特徴的な、「警報音」選択機能がある。
【００１７】
図４に示す第３の画面１３は第２の画面１２において「警報音」を選択した場合に表示される画面の一例である。この画面を用いて警報音を選択することができる。図４に示す第３の画面１３では、「第３警報音」の文字の左側の色が変化しており、給水温度の警報に対しては、「第３警報音」が選択されていることを示している。また、各警報音の選択ボタンの右にはスピーカを示す図が表示されている。これらの図を選択すると、対応する警報音が警報出力装置を通して出力され、どの警報音が選択されたかを確認することが可能である。
【００１８】
ところで、上記警報音選択設定作業を行なっているときに、この警報音出力手段３の近くでこの作業以外の他の作業を行なっている作業員がこの警報音を聞いて実際の異常事態であると誤認する可能性がある。このような誤認を避けるために、この警報音がテストのためのものであって、実際には異常事態が発生していないことを知らせるのが好ましい。そのために、この警報音の発生の際に、たとえば、警報音出力手段３を通して「警報音のテストを行ないます」等のアナウンスを行なって、その直後に警報を発する。また、補助的に設置されている別の警報音出力手段を通して通知するものであってもよい。
【００１９】
上述の説明では、第１の画面１１、第２の画面１２、第３の画面１３の順序で表示されるものとしたが、他の例としては、プラント構成図などに基づいて、直接、第２の画面１２や第３の画面１３を表示する仕組みであってもかまわない。
【００２０】
さらに、プラントの複数の警報に同一の警報音を設定することを防ぐため、排他設定を行なうことも可能である。図４の第３の画面１３で示した例では、給水温度の警報音には第３警報音が選択されている。このとき、他の警報（たとえば、ＥＣＯ温度）に同一の第３警報音が登録されていると、警報音を聞いた場合に、どちらの警報が作動しているか判断することができない。
【００２１】
これに対して、図５に示す第４の画面１４では、特定の警報音に排他設定を行なう機能を持つ。すなわち、第４の画面１４で「使用中」と表示されている警報音の選択ボタン部分にマウス等のポインティングデバイスで操作を行なうと、第４の画面１４に示すように排他設定を行なうことができる。排他設定の警報音は他の警報には使用することができない。この機能により、警報音が意図せずに複数の警報音に設定されてしまうことを防ぐことができる。
【００２２】
以上説明した構成の警報通知システムにおいて、警報の第一報を確認したとき、特に、第一報が始まった瞬間に、運転員が故障箇所を特定もしくは限定することができる。そのため、対策の立案と画面確認とを同時に行なうことが可能となり、操作までのタイムラグを短縮することが可能になる。
【００２３】
なお、上記実施形態で取り上げた各警報音は異なった音色を持つ。「音色」とは、「音の強さや高さが等しくても、それを発する楽器の種類などによって違って感じられる音の特性」であり、「音に含まれる上音の振動数や強さの比、その減衰度などによって決まる」（いずれも広辞苑より引用）。擬音語で表現すれば、「ブッブー」や「ピンコンピンコン」などの音のパターンである。
【００２４】
つぎに、図６を用いて、本発明による警報通知システムの第２の実施形態を示す。この実施形態では、警報と警報音のひも付けの方式が第１の実施形態と異なるが、システム構成は第１の実施形態で示したものと同じである。
【００２５】
図６は本実施形態における警報と警報音のひも付けを設定する画面の一例である。図６の右上に示される警報音選択ボタン２１は、どの警報音に対して警報をひも付けるかを設定するものである。運転員が警報音選択ボタン２１をポインティングデバイスで選択するとプルダウンメニュー（図示せず）が表示され、そのプルダウンメニューから特定の警報音を選択できる。
【００２６】
図６は、第１警報音に対して警報を割り付けている状況を示している。図の左の枠２２中にはひも付ける警報の候補が示されている。ここでは、代表的な例について示しているが、これらに限定されるものではない。マウス等のポインティングデバイスで左側の枠２２中の警報を選択し、中央の対応付けボタン２３を押すと、右の枠中に指定した警報が表示される。これにより、第１警報音にひも付けされた警報が給水温度であることがわかる。
【００２７】
第１の実施形態では、警報に対して警報音をひも付けしたが、第２の実施形態では警報音に対して警報をひも付けしている。このとき、たとえば、第１警報音はボイラ担当グループ、第２警報音はタービン担当グループとあらかじめ決めておけば、警報が通知された時点で担当グループがわかる利点がある。
【００２８】
また、監視対象プラントの一部に着目し、関係する警報のみ警報音を変更するといった場合もこの機能を利用することができる。これにより、警報が通知された時点で着目していたプラントの一部に対応する警報か、それ以外かを区別することが可能になる。
【図面の簡単な説明】
【００２９】
【図１】本発明に係る警報通知システムの実施形態の構成を示すブロック図である。
【図２】図１の警報音データベースにおいて警報詳細設定する際のメニュー画面の例を示す図である。
【図３】図２の表示画面で給水温度を選択したときに表示される機能選択メニュー画面の例を示す図である。
【図４】図３の表示画面で警報音を選択したときに表示される給水温度警報音選択画面の例を示す図である。
【図５】図３の表示画面で警報音を選択したときに表示される給水温度警報音選択画面の、図４とは異なる例を示す図である。
【図６】図１の警報音設定手段において警報詳細設定する際のメニュー画面の、図２とは異なる例を示す図である。
【符号の説明】
【００３０】
１：警報音選択手段
２：警報音データベース
３：警報音出力手段
【図１】
2008293110.tif 000003
【図２】
2008293110.tif 000004
【図３】
2008293110.tif 000005
【図４】
2008293110.tif 000006
【図５】
2008293110.tif 000007
【図６】
2008293110.tif 000008